(57)【要約】【課題】配電線へ装着したときにしっかりと固定され、かつ間接活線工具を使用した着脱作業が容易な配電線用絶縁カバーを提供する。【解決手段】カバー部材１１、１２の下端部２１、３１にカバー部材１１、１２を開閉自在に係止させる係止手段を備える配電線用絶縁カバー１において、係止手段は、一方のカバー部材１１の下端部２１に設けられた、係止孔２３が穿設された舌片状の第１係止片２２と、他方のカバー部材１２の下端部３１に設けられた、係止孔２３に係止する係止爪３３を備える舌片状の第２係止片３２と、を有し、第１係止片２２及び第２係止片３２は、カバー部材１１、１２に対して内側に傾斜して形成され、係止爪３３を係止孔２３に係止すると、係止爪３３が係止孔２３から突出し、第１係止片２２と第２係止片３２とがカバー部材１１、１２に対して略４５°の角度で互いに直交する。【選択図】図３
2015033274.tif 000002
【特許請求の範囲】
【請求項１】
配電線を覆う左右一対のカバー部材の上端をヒンジを介して回動自在に結合し、前記左右一対のカバー部材の下端部に前記カバー部材を開閉自在に係止させる係止手段を備える配電線用絶縁カバーにおいて、
前記係止手段は、一方のカバー部材の下端部に設けられた、係止孔が穿設された舌片状の第１係止片と、他方のカバー部材の下端部に設けられた、前記係止孔に係止する係止爪を備える舌片状の第２係止片と、を有し、
前記第１係止片及び前記第２係止片は、前記カバー部材に対して内側に傾斜して形成され、前記係止爪を前記係止孔に係止すると前記係止爪が前記係止孔から突出し、前記第１係止片と前記第２係止片とが前記カバー部材に対して略４５°の角度で互いに直交することを特徴とする配電線用絶縁カバー。
【請求項２】
前記第１係止片及び前記第２係止片は、左右の前記カバー部材を閉じるように回動させたときに前記第２係止片の先端部が前記係止孔に挿入され、かつ、前記第２係止片の先端部が前記係止孔から突出するように形成されていることを特徴とする請求項１に記載の配電線用絶縁カバー。
【請求項３】
前記第１係止片は、先端から前記係止孔にかけて前記第２係止片の先端部が通過可能な溝を備え、
前記溝は、幅が少なくとも前記第２係止片の先端から前記係止爪にかけての幅よりも広く、かつ、少なくとも前記係止孔に係止する前記係止爪の根元部分の係止部の幅よりも狭く、
前記第２係止片の先端部は、左右の前記カバー部材を閉じたときに前記係止孔に代えて前記溝に挿入され、前記溝から突出することを特徴とする請求項２に記載の配電線用絶縁カバー。
【請求項４】
前記第１係止片の先端から前記係止孔までの間及び／又は前記第２係止片の先端から前記係止爪までの間には、バインド打ち器のフックが引っ掛かる工具引掛孔が設けられていることを特徴とする請求項１から３のいずれか１項に記載の配電線用絶縁カバー。
【請求項５】
前記第２係止片の先端部は、前記係止孔よりも小さく、
前記係止爪は、先端側から前記係止孔に係止する根元部分の係止部にかけて徐々に幅広に、かつ徐々に高さが高くなるように形成されていることを特徴とする請求項１から４のいずれか１項に記載の配電線用絶縁カバー。
【請求項６】
前記第１係止片及び前記第２係止片は、係止時に互いの先端の高さが略同一になるように形成されていることを特徴とする請求項１から５のいずれか１項に記載の配電線用絶縁カバー。
【発明の詳細な説明】
【技術分野】
【０００１】
本発明は、架空送電線など配電線路の充電露出箇所に装着する配電線用絶縁カバーに関する。
【背景技術】
【０００２】
架空送電線など配電線路の充電露出箇所には、引留クランンプカバー、スリーブカバー等の絶縁カバーが施される。従来、絶縁カバーの取付けには、作業者が防護服を着用し、手で直接取付けることも行われていたが、今日では、ホットスティック、ヤットコなどの間接活線工具を使用した間接活線工法と呼ばれる方法で実施されることが一般的である。
【０００３】
一般的な絶縁カバーは、配電線を覆う左右一対のカバーを備え、カバーの端部に爪（突起）及び爪が係止する係止孔を設け、爪を係止孔に係止することでカバーを閉じ、配電線に装着される（例えば特許文献１、特許文献２参照）。従来の絶縁カバーは、配電線への装着は比較的容易であるが、元々、配電線からの取外しが考慮されていないため取外しは容易ではない。特に、間接活線工具を用いた取外し作業は難しい。
【０００４】
このような問題を解決すべく、着脱容易な配電線用絶縁カバーが開発されている（例えば特許文献３参照）。特許文献３に記載の配電線用絶縁カバーは、カバーを閉じるための係止ボタン及び係止ボタンが係止する段付孔の他に、取外し用の突起を備える。このためホットスティックを使用して簡単に取外すことができる。
【先行技術文献】
【特許文献】
【０００５】
【特許文献１】実開平７−２９７１９号公報
【特許文献２】特開平１０−６６２３５号公報
【特許文献３】特許第４５５３２０２号公報
【発明の概要】
【発明が解決しようとする課題】
【０００６】
特許文献１に記載の絶縁カバーは、比較的大きな爪を使用しているためカバーをしっかりと閉じ、配電線に固定することができる。しかし、この絶縁カバーは、配電線に装着した状態から間接活線工具を用いて取外すことが難しい。
【０００７】
一方、特許文献３に記載の配電線用絶縁カバーは、配電線への装着、配電線からの取外しは容易である。しかし、カバーを閉じるために使用する係止ボタンの段付孔に対する係止代が小さいため取付け易い一方で外れ易い。また絶縁カバーが捩れ、左右のカバー部材の位置がずれてしまうと、係止ボタンが段付孔に臨まず、嵌合が難しくなる。無理に嵌め入れようとすると係止ボタンがカバー部材にぶつかり変形する恐れがある。
【０００８】
以上のようにこれまでに開発されている配電線用絶縁カバーは、配電線へ装着したときにしっかりと固定できるタイプのものは、間接活線工具を使用した着脱作業が難しく、逆に、間接活線工具を使用した着脱作業が容易なタイプのものは、配電線へ装着したときの保持力が弱く外れ易い。特許文献１と特許文献３に記載の技術を組み合わせることで、両方の利点を活かした配電線用絶縁カバーとすることも考えられるが、これらを単に組み合わせただけでは、配電線へ装着したときにしっかりと固定され、かつ間接活線工具を使用した着脱作業が容易な配電線用絶縁カバーとはならない。
【０００９】
本発明の目的は、配電線へ装着したときにしっかりと固定され、かつ間接活線工具を使用した着脱作業が容易な配電線用絶縁カバーを提供することである。
【課題を解決するための手段】
【００１０】
本発明は、配電線を覆う左右一対のカバー部材の上端をヒンジを介して回動自在に結合し、前記左右一対のカバー部材の下端部に前記カバー部材を開閉自在に係止させる係止手段を備える配電線用絶縁カバーにおいて、前記係止手段は、一方のカバー部材の下端部に設けられた、係止孔が穿設された舌片状の第１係止片と、他方のカバー部材の下端部に設けられた、前記係止孔に係止する係止爪を備える舌片状の第２係止片と、を有し、前記第１係止片及び前記第２係止片は、前記カバー部材に対して内側に傾斜して形成され、前記係止爪を前記係止孔に係止すると前記係止爪が前記係止孔から突出し、前記第１係止片と前記第２係止片とが前記カバー部材に対して略４５°の角度で互いに直交することを特徴とする配電線用絶縁カバーである。
【００１１】
本発明の配電線用絶縁カバーは、カバー部材を開閉自在に係止させる係止手段が、第１係止片及び第２係止片を有し、第１係止片と第２係止片とを係止させると、係止爪が係止孔から突出し、第１係止片と第２係止片とがカバー部材に対して４５°の角度で内側に傾斜し、互いに直交するので、間接活線工具を使用して第１係止片及び第２係止片の係止を簡単に外すことができる。また係止爪を係止孔から突出するように嵌め入れるので、配電線へ装着したときにしっかりと固定される。さらに係止爪が係止孔に係止したことが分かり易いので、配電線用絶縁カバー装着後の出来上がりを確認し易い。
【００１２】
また本発明において、前記第１係止片及び前記第２係止片は、左右の前記カバー部材を閉じるように回動させたときに前記第２係止片の先端部が前記係止孔に挿入され、かつ、前記第２係止片の先端部が前記係止孔から突出するように形成されていることを特徴とする。
【００１３】
本発明の配電線用絶縁カバーは、左右の前記カバー部材を閉じるように回動させたときに第２係止片の先端部が係止孔に挿入され、かつ、第２係止片の先端部が係止孔から突出するように形成されているので、係止孔の外側から第２係止片の先端を間接活線工具により把持して又は引掛けて引っ張ることで係止爪を係止孔に容易に係止させることができる。このため簡単に取付けることができる。
【００１４】
また本発明において、前記第１係止片は、先端から前記係止孔にかけて前記第２係止片の先端部が通過可能な溝を備え、前記溝は、幅が少なくとも前記第２係止片の先端から前記係止爪にかけての幅よりも広く、かつ、少なくとも前記係止孔に係止する前記係止爪の根元部分の係止部の幅よりも狭く、前記第２係止片の先端部は、左右の前記カバー部材を閉じたときに前記係止孔に代えて前記溝に挿入され、前記溝から突出することを特徴とする。
【００１５】
本発明の配電線用絶縁カバーは、第１係止片が、先端から係止孔にかけて第２係止片の先端部が通過可能な溝を備えるので、第２係止片の先端部を間接活線工具により把持して又は引掛けて第２係止片の先端部を溝に通しながら引っ張ることで係止爪を係止孔に容易に係止させることができる。このため簡単に取付けることができる。
【００１６】
また本発明において、前記第１係止片の先端から前記係止孔までの間及び／又は前記第２係止片の先端から前記係止爪までの間には、バインド打ち器のフックが引っ掛かる工具引掛孔が設けられていることを特徴とする。
【００１７】
本発明の配電線用絶縁カバーは、バインド打ち器を使用して簡単に装着又は取外しを行うことができる。
【００１８】
また本発明において、前記第２係止片の先端部は、前記係止孔よりも小さく、前記係止爪は、先端側から前記係止孔に係止する根元部分の係止部にかけて徐々に幅広に、かつ徐々に高さが高くなるように形成されていることを特徴とする。
【００１９】
本発明の配電線用絶縁カバーは、第２係止片の先端部が係止孔よりも小さく、さらに先端部に続く係止爪が大略的には先細楔形状を有するので、左右のカバー部材同士が少しずれていても、第２係止片の先端部が係止孔に臨み、係止爪が係止孔にスムーズに係止される。このため簡単に取付けることができる。
【００２０】
また本発明において、前記第１係止片及び前記第２係止片は、係止時に互いの先端の高さが略同一になるように形成されていることを特徴とする。
【００２１】
本発明の配電線用絶縁カバーは、第１係止片及び第２係止片が、係止時に互いの先端の高さが略同一になるように形成されているので、ヤットコで把持して取外す作業を低位置から容易に行うことができる。
【発明の効果】
【００２２】
本発明の配電線用絶縁カバーは、配電線へ装着したときにしっかりと固定され、かつ間接活線工具を使用した着脱作業が容易である。
【図面の簡単な説明】
【００２３】
【図１】本発明の第１実施形態の配電線用絶縁カバー１の正面図である。
【図２】図１の配電線用絶縁カバー１の係止前の切断線Ａ−Ａの断面図である。
【図３】図１の配電線用絶縁カバー１の係止後の切断線Ａ−Ａの断面図である。
【図４】図１の配電線用絶縁カバー１の第２係止片３２の斜視図である。
【図５】図１の配電線用絶縁カバー１をバインド打ち器５５で装着する方法を示す概略図である。
【図６】図１の配電線用絶縁カバー１をバインド打ち器５５で取外す方法を示す概略図である。
【図７】図１の配電線用絶縁カバー１をヤットコ５７で取外す方法を示す概略図である。
【図８】本発明の第２実施形態の配電線用絶縁カバー２の断面図である。
【図９】本発明の第３実施形態の配電線用絶縁カバー３の概略図である。
【図１０】本発明の第４実施形態の配電線用絶縁カバー４の断面図である。
【発明を実施するための形態】
【００２４】
図１は、本発明の第１実施形態の配電線用絶縁カバー１の正面図である。図２は、図１の配電線用絶縁カバー１の係止前の切断線Ａ−Ａの断面図、図３は、図１の配電線用絶縁カバー１の係止後の切断線Ａ−Ａの断面図、図４は、図１の配電線用絶縁カバー１の第２係止片３２の斜視図である。図５は、図１の配電線用絶縁カバー１をバインド打ち器５５で装着する方法を示す概略図、図６は、図１の配電線用絶縁カバー１をバインド打ち器５５で取外す方法を示す概略図、図７は、図１の配電線用絶縁カバー１をヤットコ５７で取外す方法を示す概略図である。
【００２５】
本発明の第１実施形態の配電線用絶縁カバー１は、高所に架設された配電線５１を覆う絶縁カバーであり、基本的に間接活線工具を用いて配電線５１に着脱される。
【００２６】
なお本実施形態の配電線用絶縁カバー１の着脱に用いる間接活線工具は、基本的にはバインド打ち器５５とヤットコ５７とであるが、これに限定されるものではない。バインド打ち器５５は、先端がフック状の間接活線工具であり、ヤットコ５７は、先端を開閉させて対象を把持する間接活線工具である。これらの間接活線工具は、適宜公知のものを用いることができる。
【００２７】
配電線用絶縁カバー１は、互いに係止可能な係止手段を備える右側カバー部材１１及び左側カバー部材１２と、上端に設けられ右側カバー部材１１と左側カバー部材１２とを回動自在に連結するヒンジ３７とを有し、これらが一体的に形成されている。配電線用絶縁カバー１は、右側カバー部材１１の下端部２１及び左側カバー部材１２の下端部３１のそれぞれ３箇所に設けられた係止手段を係止させて配電線５１に装着される。配電線用絶縁カバー１の長手方向の両端には、配電線入口部３８及び配電線出口部３９が設けられている。なお図２、図３中に示す仮想線Ｂ−Ｂから仮想線Ｃ−Ｃ又は仮想線Ｄ−Ｄまでの間が下部１５、１９であり仮想線Ｃ−Ｃ又は仮想線Ｄ−Ｄの下側が係止手段である。
【００２８】
配電線用絶縁カバー１の材質は、例えば、ポリエチレン樹脂が用いられるが、これに限定されるものではなく、各種絶縁材料を適宜選定して用いることができる。
【００２９】
右側カバー部材１１は、半円状の上部１３、上部１３に続く直線状の中央部１４、中央部１４に続く下部１５、さらに下部１５に続き中央部１４に直交するように配置された底部１６を備える。同様に左側カバー部材１２は、半円状の上部１７、上部１７に続く直線状の中央部１８、中央部１８に続く下部１９、さらに下部１９に続き中央部１８に直交するように配置された底部２０を備える。
【００３０】
右側カバー部材１１の底部１６及び左側カバー部材１２の底部２０は、係止時に互いの先端が突き当たるように形成されている。右側カバー部材１１の底部１６及び左側カバー部材１２の底部２０は、係止時に互いの先端が突き当たることで後述の係止爪３３と係止孔２３とをしっかりと係止させ、その状態を保持するストッパーとして機能する。
【００３１】
ヒンジ３７は、円筒体の一箇所に長手方向に亘って切込みが入った形状であり、外周面における切込みの左右から右側カバー部材１１及び左側カバー部材１２が形成されている。ヒンジ３７は、右側カバー部材１１及び左側カバー部材１２が配電線５１を収納容易な程度に回動自在に形成されている。
【００３２】
配電線入口部３８及び配電線出口部３９は、右側カバー部材１１及び左側カバー部材１２の両端に設けられ、配電線５１に装着したときに配電線５１の外周を囲うように形成されている。なお配電線入口部３８及び配電線出口部３９は、特定の形状に限定されるものではない。
【００３３】
右側カバー部材１１の係止手段は、右側カバー部材１１の下端部２１に一体的に形成された舌片状の第１係止片２２であり、第１係止片２２には、左側カバー部材１２に設けられた係止爪３３が係止する係止孔２３が穿設され、さらに先端部２４にバインド打ち器５５のフック５６を引掛ける工具引掛孔２５が穿設されている。右側カバー部材１１の下部１５は、中央部１４に対して４５°内側に傾いており、その延長線上に第１係止片２２が形成されている。なお、本実施形態において内側とは相対するカバー部材の方向をいう。
【００３４】
左側カバー部材１２の係止手段は、左側カバー部材１２の下端部３１に一体的に形成された舌片状の第２係止片３２であり、第２係止片３２には、係止孔２３に挿入して係止可能な係止爪３３が外側に形成され、さらに先端部３４にバインド打ち器５５のフック５６を引掛ける工具引掛孔３５が穿設されている。左側カバー部材１２の下部１９は、中央部１８に対して内側に傾いており、その延長線上に第２係止片３２が形成されている。この傾斜角度は、右側カバー部材１１と左側カバー部材１２とが内側（右側カバー部材１１及び左側カバー部材１２を閉じる方向）に回動したときに第２係止片３２の先端部３４が係止孔２３に挿入され、係止孔２３から外側に突出するように決められる。
【００３５】
第１係止片２２及び第２係止片３２は、係止時に互いの先端が略同一の高さとなるように、略同一の長さで形成されている。ここで第１係止片２２及び第２係止片３２の係止時の互いの先端の高さ関係は、後述するヤットコ５７による取外し時に第１係止片２２及び第２係止片３２の両方の先端を低位置からヤットコ５７で把持し易い高さ関係であればよい。
【００３６】
係止孔２３は、矩形に形成されており、右側カバー部材１１の底部１６及び左側カバー部材１２の底部２０の先端が突き当たった状態において、第２係止片３２の外側の面が係止孔２３の先端部２４側の内周面に平行に当接するように配置されている。また係止孔２３は、係止爪３３が通過可能な大きさに穿設されている。
【００３７】
係止爪３３は、係止孔２３を通過し易いように先端部３４側から係止孔２３に係止する根元部分の係止部３６にかけて徐々に幅広に且つ徐々に高さが高くなるように先細楔形状に形成されている。また第２係止片３２の先端部３４は、係止孔２３よりも小さく形成されている。
【００３８】
このように係止爪３３が先細楔形状であり、第２係止片３２の先端部３４が係止孔２３よりも小さく形成されているので、右側カバー部材１１と左側カバー部材１２とが互いに少しずれていても第２係止片の先端部３４が係止孔２３に臨み、係止爪３３が係止孔２３にスムーズに係止される。
【００３９】
係止時には右側カバー部材１１の底部１６の先端と左側カバー部材１２の底部２０の先端とが突き当たることで、係止爪３３と係止孔２３とが係止された状態に保持されるので、係止爪３３の係止部３６は、係止孔２３よりも若干小さくしても係止可能であり、少なくとも上端が係止孔２３に係止可能な高さに形成されていればよい。
【００４０】
第２係止片３２の先端部３４の長さ及び工具引掛孔３５の穿設位置は、右側カバー部材１１及び左側カバー部材１２が内側に回動し、第２係止片３２の先端部３４が係止孔２３へ挿入され係止孔２３と係止爪３３とが当接したときに工具引掛孔３５が係止孔２３（第１係止片２２）の外側に位置するように決められる。このようにすると、第２係止片３２の先端部３４が係止孔２３へ挿入された状態でバインド打ち器５５のフック５６を係止孔２３（第１係止片２２）の外側から引掛けることができる。
【００４１】
次に本実施形態の配電線用絶縁カバー１の装着方法について説明する。図５（ａ）は、第２係止片３２の工具引掛孔３５にバインド打ち器５５を引掛けた状態を示す概略図である。図５（ｂ）は、バインド打ち器５５を用いて係止爪３３を係止孔２３に係止させた状態を示す概略図である。なお図５以降では、仮想線を省略している。
【００４２】
配電線用絶縁カバー１をヒンジ３７が上になるように配電線５１に被せ、自重により、又はヤットコ５７を用いて右側カバー部材１１及び左側カバー部材１２を、係止孔２３に係止爪３３が当接するまで内側に回動させる。
【００４３】
第２係止片３２の先端部３４が係止孔２３に挿入され、第２係止片３２の工具引掛孔３５が係止孔２３から突出する。突出した第２係止片３２の工具引掛孔３５にバインド打ち器５５のフック５６を引掛けて第２係止片３２を外側に引っ張ると係止爪３３が係止孔２３を通過し、係止爪３３の係止部３６が係止孔２３の端部に係止する。
【００４４】
係止爪３３を係止孔２３に係止させると、右側カバー部材１１の底部１６の先端と左側カバー部材１２の底部２０の先端とが突き当たり、第１係止片２２と第２係止片３２とがそれぞれ右側カバー部材１１及び左側カバー部材１２の中央部１４、１８（ヒンジ３７の中心を通る鉛直線）に対して４５°の角度を有した状態で互いに直交する。
【００４５】
このように本実施形態の配電線用絶縁カバー１は、間接活線工具を用いて配電線５１に容易に装着することができ、係止爪３３が係止孔２３にしっかりと係止される。なお説明では、バインド打ち器５５を用いたが、突出した第２係止片３２の先端部３４をヤットコ５７で把持して引っ張り、係止爪３３を係止孔２３に係止させてもよい。
【００４６】
次に本実施形態の電線用絶縁カバー１の取外し方法について説明する。図６（ａ）は、第１係止片２２の工具引掛孔２５にバインド打ち器５５を引掛けた状態を示す概略図である。図６（ｂ）は、バインド打ち器５５を用いて係止爪３３を係止孔２３から外した状態を示す概略図である。
【００４７】
バインド打ち器５５のフック５６を第１係止片２２の工具引掛孔２５に引掛けて第１係止片２２を外側に引っ張ると、右側カバー部材１１の底部１６の先端と左側カバー部材１２の底部２０の先端との突き当たりが外れ、左側カバー部材１２の下部１９が弾性力により内側に回動し係止爪３３が係止孔２３から外れ、配電線用絶縁カバー１を配電線５１から取外すことができる。
【００４８】
また図７（ａ）は、第１係止片２２の先端及び第２係止片３２の先端をヤットコ５７で把持した状態を示す概略図である。図７（ｂ）は、ヤットコ５７を用いて係止爪３３を係止孔２３から外した状態を示す概略図である。
【００４９】
ヤットコ５７により第１係止片２２の先端と第２係止片３２の先端とを把持し、第１係止片２２の先端を支点にヤットコ５７を時計回りの方向へ回動させるだけで係止爪３３が係止孔２３から外れ、配電線用絶縁カバー１を配電線５１から取外すことができる。このとき第１係止片２２及び第２係止片３２は、互いの先端が略同一の高さなのでヤットコ５７による把持が容易である。なおヤットコ５７を用いる場合は、第１係止片２２の先端部２４を把持して引っ張り、係止爪３３を係止孔２３から外してもよい。
【００５０】
このように本実施形態の配電線用絶縁カバー１は、間接活線工具を用いて配電線５１から容易に取外すことができる。
【００５１】
以上のように本発明の第１実施形態の配電線用絶縁カバー１は、係止爪３３を係止孔２３に係止させるので、装着時にはしっかりと固定される。さらに係止爪３３が係止孔２３に係止したことが分かり易いので、配電線用絶縁カバー装着後の出来上がりを確認し易い。また配電線用絶縁カバー１を配電線５１から取外すときには、ほぼ垂直の状態で間接活線工具を操作することができ、操作自体も簡単なので、低位置からの間接活線工具を使用した着脱作業が容易である。
【００５２】
図８は、本発明の第２実施形態の配電線用絶縁カバー２の断面図である。図１の第１実施形態の配電線用絶縁カバー１と同一の構成には同一の符号を付して説明を省略する。第２実施形態の配電線用絶縁カバー２は、第１実施形態の配電線用絶縁カバー１と基本的構成は同じであるが、係止爪４２の向きが異なる。
【００５３】
第２実施形態の配電線用絶縁カバー２の係止爪４２は、左側カバー部材１２の第２係止片４１の内側に設けられている。また、右側カバー部材１１及び左側カバー部材１２は、下部１５、１９がそのまま延長する形で底部２８、２９を形成しており、第１実施形態の右側カバー部材１１及び左側カバー部材１２のように水平方向に配置された底部１６、２０を有していない。また底部２８、２９の先端が下端部２１、３１となる。なお係止爪４２のその他の形成要領は、第１実施形態の配電線用絶縁カバー１の係止爪３３と同様である。
【００５４】
第２実施形態の配電線用絶縁カバー２は、第１実施形態の配電線用絶縁カバー１と同様の方法で配電線５１に装着され、装着後は、左側カバー部材１２の下部１９の内側への弾性力により係止爪４２と係止孔２３とを係止させる方向に力が加わる。このため第１実施形態の配電線用絶縁カバー１のようにストッパーとして機能する水平方向に配置された底部１６、２０を設けることなく、第１係止片２２と第２係止片４１とをそれぞれ右側カバー部材１１及び左側カバー部材１２の中央部１４、１８に対して４５°の角度を有した状態で互いに直交させるとともに、しっかりと係止させることができる。
【００５５】
配電線用絶縁カバー２を配電線５１から取外すときは、ヤットコ５７により第１係止片２２の先端と第２係止片４１の先端とを把持するだけで係止爪４２を係止孔２３から外すことができる。またバインド打ち器５５を使用する場合は、第２係止片４１の工具引掛孔３５にフック５６を引掛けて第２係止片４１を下方へ引っ張ると係止爪４２を係止孔２３から外すことができる。
【００５６】
このように第２実施形態の配電線用絶縁カバー２を用いると、右側カバー部材１１及び左側カバー部材１２に水平方向に配置された底部１６、２０を形成する必要がなく、取外方法も第１実施形態の配電線用絶縁カバー１に比べて多少、容易である。一方、左側カバー部材１２の下部１９の内側への弾性力に比べて左側カバー部材１２の下部１９及び第２係止片４１の自重が大きい場合には、係止爪４２が係止孔２３から自然に外れてしまう恐れがある。このため装着時に左側カバー部材１２の内側への弾性力が確実に自重よりも大きくなるように製造する必要がある。なお第２実施形態の配電線用絶縁カバー２においても右側カバー部材１１及び左側カバー部材１２に水平方向に配置された底部１６、２０を設けてもよい。
【００５７】
図９は、本発明の第３実施形態の配電線用絶縁カバー３の概略図である。なお図９（ａ）は、本発明の第３実施形態の配電線用絶縁カバー３の概略図であり、図９（ｂ）は、図９（ａ）の配電線用絶縁カバー３の第１係止片４３の拡大図である。
【００５８】
図１の第１実施形態の配電線用絶縁カバー１と同一の構成には同一の符号を付して説明を省略する。第３実施形態の配電線用絶縁カバー３は、第１実施形態の配電線用絶縁カバー１と基本的構成は同じであるが、第１係止片４３の先端から係止孔２３にかけて第２係止片３２の先端部３４が通過可能な溝４４が設けられている。
【００５９】
右側カバー部材１１の第１係止片４３には、先端から係止孔２３にかけて一定幅の溝４４が設けられている。溝４４の幅は、左側カバー部材１２の第２係止片３２の先端部３４の幅よりも広く、係止爪３３の係止部３６の幅よりも狭い。また第１係止片４３の工具引掛孔２５は、溝４４の脇に設けられている。
【００６０】
また左側カバー部材１２の下部１９及び第２係止片３２は、右側カバー部材１１の下部１５と同様、中央部１９に対して４５°内側に傾いている。
【００６１】
第３実施形態の配電線用絶縁カバー３は、右側カバー部材１１及び左側カバー部材１２を閉じるように回動させると、第２係止片３２の先端部３４が第１係止片２１の溝４４から突出する。バインド打ち器５５のフック５６を第２係止片３２の工具引掛孔３５に引掛け、又はヤットコ５７で第２係止片３２の先端を把持し、第２係止片３２の先端部３４を溝４４に通しながら第２係止片３２を引っ張ることで、係止爪３３を係止孔２３に係止させることができる。
【００６２】
第３実施形態の配電線用絶縁カバー３を用いると、左側カバー部材１２の下部１９及び第２係止片３２の内側への傾斜角度の自由度が高くなる。また第３実施形態の配電線用絶縁カバー３は、経年変化により配電線用絶縁カバー３が変形し、右側カバー部材１１の下部１５及び第１係止片４３又は左側カバー部材１２の下部１９及び第２係止片３２の内側への傾斜角度が変化しても、変形前と同様の方法で着脱させることができる。
【００６３】
図１０は、本発明の第４実施形態の配電線用絶縁カバー４の断面図である。図１の第１実施形態の配電線用絶縁カバー１と同一の構成には同一の符号を付して説明を省略する。第４実施形態の配電線用絶縁カバー４は、第１実施形態の配電線用絶縁カバー１と基本的構成は同じであるが、係止孔６２及び係止爪６４の形成要領が異なる。
【００６４】
第４実施形態の配電線用絶縁カバー４の右側カバー部材１１の下部１５及び第１係止片６１及び左側カバー部材１２の下部１９及び第２係止片６３は、それぞれ中央部１４、１８に対して内側に４５°傾いている。
【００６５】
第４実施形態の配電線用絶縁カバー４の係止孔６２は、右側カバー部材１１及び左側カバー部材１２が閉じるように回動したときに第２係止片６３の先端が係止孔６２を通過するように、第１実施形態の配電線用絶縁カバー１の係止孔２３に比較して大きく、かつ、より先端に設けられている。
【００６６】
係止爪６４の形状は、係止孔６２の大きさ及び穿設位置に合わせて、係止部６５の高さが係止孔６２に係止可能に決められている。
【００６７】
第４実施形態の配電線用絶縁カバー４は、第１実施形態の配電線用絶縁カバー１と同様の方法で配電線５１に着脱される。
【００６８】
第４実施形態の配電線用絶縁カバー４のように、係止孔の大きさ、配置及び係止爪の形状を決めることで、左側カバー部材１２の下部１９及び第２係止片６３の傾斜角度を調節することなく、右側カバー部材１１及び左側カバー部材１２が閉じるように回動したときに第２係止片６３の先端が係止孔６２を通過可能であり、かつ、係止時に第１係止片６１及び第２係止片６３がそれぞれ中央部１４、１８に対して内側に４５°傾き、互いに直交させることができる。
【００６９】
以上、第１から第４実施形態の配電線用絶縁カバーを用いて、本発明の配電線用絶縁カバーを説明したが、本発明の配電線用絶縁カバーは、上記実施形態に限定されるものではなく、要旨を変更しない範囲で変形して使用することができる。第１実施形態の配電線用絶縁カバー１では、第１係止片２２を右側カバー部材１１に、第２係止片３２を左側カバー部材１２に設けたが、第１係止片２２を左側カバー部材１２に、第２係止片３２を右側カバー部材１１に設けてもよい。
【００７０】
第１係止片２２と第２係止片３２とは、係止したときにそれぞれのカバー部材の中央部１４、１８に対して内側に４５°傾斜して互いに直交しているが、傾斜角度は、厳密に４５°である必要はない。互いにしっかりと係止され、かつ、低位置から間接活線工具を用いての配電線５１への着脱作業が容易となる傾斜角度で係止されていればよい。
【００７１】
また第１から第４実施形態では、間接活線工具を用いて配電線用絶縁カバーを着脱したが、手で直接着脱する用途を除外するものではない。なお上記実施形態に示す配電線用絶縁カバーは、分岐スリーブカバー、引留クランプカバー、ジャンパースリーブカバーなど種々の絶縁カバーに適用可能である。
【符号の説明】
【００７２】
１、２、３、４  配電線用絶縁カバー
１１              右側カバー部材
１２              左側カバー部材
２１              右側カバー部材下端部
２２、４３、６１  第１係止片
２３、６２        係止孔
２４              第１係止片の先端部
２５              第１係止片の工具引掛孔
３１              左側カバー部材下端部
３２、４１、６３  第２係止片
３３、４２、６４  係止爪
３４              第２係止片の先端部
３５              第２係止片の工具引掛孔
３６、６５        係止爪の係止部
３７              ヒンジ
３８              配電線入口部
３９              配電線出口部
４４              溝
５１              配電線
５５              バインド打ち器
５６              バインド打ち器のフック
【図１】
2015033274.tif 000003
【図２】
2015033274.tif 000004
【図３】
2015033274.tif 000005
【図４】
2015033274.tif 000006
【図５】
2015033274.tif 000007
【図６】
2015033274.tif 000008
【図７】
2015033274.tif 000009
【図８】
2015033274.tif 000010
【図９】
2015033274.tif 000011
【図１０】
2015033274.tif 000012